(57)【要約】【課題】配線工事や機器の操作を簡単容易に行う。【解決手段】設置面Ｍに固定される取付ベース２と、該取付ベースの両端部に形成された一対の軸受１０と、機器本体の背面に設けられた収容部３と、機器本体の両端に回転自在かつ軸方向に移動自在に配設された一対の回転軸１４、１５と、該回転軸に設けられ前記軸受に嵌合される軸受嵌合部１６、１７とを備え、一方の回転軸の軸受嵌合部を軸受から退出させることにより、機器本体を他方の回転軸まわりに回動可能にした構成。【選択図】図３
2005269844.tif 000002
【特許請求の範囲】
【請求項１】
設置面に固定される取付ベースと、該取付ベースの両端部に形成された一対の軸受と、機器本体の背面に設けられた収容部と、機器本体の両端に回転自在かつ軸方向に移動自在に配設された一対の回転軸と、該回転軸に設けられ前記軸受に嵌合される軸受嵌合部とを備え、一方の回転軸の軸受嵌合部を軸受から退出させることにより、機器本体を他方の回転軸まわりに回動可能にしたことを特徴とする機器の固定構造。
【請求項２】
前記取付ベースには開口が形成され、前記機器本体の収容部が前記開口を貫通して設置面内に埋め込まれることを特徴とする請求項１記載の機器の固定構造。
【発明の詳細な説明】
【技術分野】
【０００１】
本発明は、天井や壁面に機器を固定するための構造に関する。
【背景技術】
【０００２】
オフィスビル等の建物の天井や壁面に設置される防犯警報器などの機器を固定する場合、天井や壁面の内部に設置された電設ボックスからの配線を機器本体の端子台に接続している（例えば、特許文献１参照）。
【特許文献１】特開２０００４−１２２２７
【発明の開示】
【発明が解決しようとする課題】
【０００３】
しかしながら、上記従来の方式は、機器本体を天井や壁面に固定した後に配線工事を行う方式であり、端子台や設定に必要な操作部（設定スイッチ等）を機器の背面以外に配置しなければならないため、設計上の拘束を受けるという問題を有している。また、機器本体を天井や壁面に固定する前に配線する場合には、重い機器本体を手に持って配線工事をしなければならず、配線工事が面倒であるという問題を有している。これを解決するために、機器本体と電設ボックスとの間を着脱自在のコネクタにより接続することも考えられるが、それではコスト増になってしまうという問題を有している。
さらに、上記従来の方式においては、機器本体の表面に端子台や設置に必要な操作部を設けなければならないため、それが拘束となって設置面からの機器の突出量を減らし難いという問題を有している。
【０００４】
本発明は、上記従来の問題を解決するものであって、設置工事を簡単容易に行うことができるとともに、設置面からの機器の突出量を少なくすることできる機器の固定構造を提供することを目的とする。
【課題を解決するための手段】
【０００５】
上記目的を達成するために、本発明の機器の固定構造は、設置面に固定される取付ベースと、該取付ベースの両端部に形成された一対の軸受と、機器本体の背面に設けられた収容部と、機器本体の両端に回転自在かつ軸方向に移動自在に配設された一対の回転軸と、該回転軸に設けられ前記軸受に嵌合される軸受嵌合部とを備え、一方の回転軸の軸受嵌合部を軸受から退出させることにより、機器本体を他方の回転軸まわりに回動可能にしたことを特徴とする。
また、前記取付ベースには開口が形成され、前記機器本体の収容部が前記開口を貫通して設置面内に埋め込まれることを特徴とする。
【発明の効果】
【０００６】
本発明においては、端子台や操作部等を機器の背面に配置することができるので、外観等の設計の自由度高めることができる。また、機器本体を設置面に固定の際に取付ベース以外は外して取付作業を行うことができ、設置工事における配線作業や設定操作の際には機器本体を支えておく必要がないので、配線作業や設定操作を簡単容易に行うことができる。また、設置のためのネジ等が機器本体を貫通することがないので、省スペース化、防水性、防塵性を高めることができる。また、収容部を設置面内に埋め込んだ場合には、設置面からの機器本体の突出量を少なくすることできる。
【発明を実施するための最良の形態】
【０００７】
以下、本発明の実施の形態を図面を参照しつつ説明する。図１〜図５は、本発明の機器の固定構造の１実施形態を示し、図１は全体構成を示す斜視図、図２は図１の取付ベースを示し、図（Ａ）は正面図、図（Ｂ）は上面図、図（Ｃ）は側面図、図（Ｄ）は底面図、図３は図１で機器本体を取付ベースに固定した状態を示し、図（Ａ）は正面図、図（Ｂ）は上面図、図（Ｃ）は側面図、図（Ｄ）は底面図、図（Ｅ）は背面図、図４は本発明の作用を説明するための要部拡大図、図５は機器本体を異なる方向に開いた斜視図である。なお、図１〜図５において、同一の構成については同一番号を付けて説明を省略する場合がある。
【０００８】
図１には、本発明に係る機器本体１と、機器本体１を固定するための取付ベース２が示され、図１では機器本体１が左側に回動して開いた状態を示している。機器本体１の背面には回路基板等を収容する収容部３が取付ベース２の背面から突出するように設けられ、収容部３には端子台４や設定スイッチ（図示せず）等が露出されている。
【０００９】
図２にも示すように、取付ベース２には、収容部３、端子台４を貫通させるための開口５が形成され、開口５の周囲に天井や壁面の設置面に固定するためのビス孔６が形成されている。取付ベース２の端部には一対の側壁７、９が形成され、側壁７、９の両端部には円筒状の穴からなる軸受１０が形成され、一方の側壁７の軸受１０には切欠１１が形成されている。また、側壁７、９の左右の所定箇所にはカバー（図示せず）を取り付けるための係止爪１２が形成されている。
【００１０】
図３は、図１で機器本体１を取付ベース２に固定した状態を示し、図４は図３要部の拡大図を示している。取付ベース２は図（Ｃ）に示す設置面（天井や壁面）Ｍにビス孔６を介してビス（図示せず）により固定している。機器本体１の表面には表示部１３が突出するように設けられている。機器本体１を取付ベース２に固定した状態では、端子台４を含む収容部３は、取付ベース２の開口５から設置面Ｍの内部に埋め込まれる状態になる。
【００１１】
機器本体１の図で左右の端部には、回転軸１４、１５が回転自在かつ軸方向に移動自在に配設され、各回転軸１４、１５の上端には筒状の軸受嵌合部１６、１７が一体または別体で設けられている。図３（Ａ）において、左側の軸受嵌合部１６は、取付ベース２に形成された軸受１０に嵌合されている。なお、回転軸１４、１５の下端も軸受に回転自在に支持されている。また、右側の軸受嵌合部１７は、これを上方に持ち上げ軸受１０から退出させた状態を示しており（図４（Ａ）も参照）、この状態から軸受嵌合部１７を前方に引くと、回転軸１５が軸受１０の切欠１１から引き出されて、機器本体１の左側部がフリーな状態となり、機器本体１の左側部を回動させると、機器本体１は、回転軸１４まわりに回動し、図１の状態となる。
【００１２】
なお、上記実施形態においては、側壁７、９に軸受１０を設けているが、側壁７、９を設けずに取付ベース２に直に軸受１０を設けてもよい。また、上記実施形態においては、軸受１０に切欠１１を形成しているが、切欠１１は無くてもよく、この場合、回転軸１４または１５を軸方向に引き抜くことにより機器本体１を回動させることになる。
【００１３】
図１の状態で天井や壁面の内部に予め設けられている電設ボックスからの配線を開口５から引き出し、端子台４に接続する。配線が終了したら機器本体１を閉じる方向に回動させ、回転軸１５を軸受１０の切欠１１に挿入した後、軸受嵌合部１７を軸方向に押せば、図４（Ｂ）に示すように、軸受嵌合部１７が軸受１０に嵌合され、機器本体１が取付ベース２に固定されることになる。なお、図５に示すように、左側の軸受嵌合部１６を操作すれば、上記と同様の操作により右側に開くことができる。
【００１４】
上記実施形態においては、軸受嵌合部１７を軸方向に押すことにより軸受１０に嵌合するようにしているが、回転軸１５を軸方向に引っ張るバネを機器本体に内蔵しておき、軸受嵌合部１７を機器本体から引き出す方向に動かすと、バネの働きによって軸受嵌合部１７が戻るようにしてもよい。
【００１５】
図６は、本発明の他の実施形態を示し、図（Ａ）は正面図、図（Ｂ）は上面図、図（Ｃ）は側面図、図（Ｄ）は背面図である。本例は収容部３を天井や壁面内に埋め込まない場合に対応するもので、取付ベース２の背面に外付けボックス１９を一体に設け、外付けボックス１９内に収容部３および端子台４を収容するようにしている。外付けボックス１９の背面にもビス孔２０が設けられ、天井や壁面の設置面Ｍにビスにより固定される。なお、２１は配線用の開口である。その他の構成については、前記実施形態と同様であるので説明を省略する。本実施形態においては、端子台や設定スイッチ等を機器の背面に配置することができるので、外観等の設計の自由度高めることができる。
【００１６】
以上、本発明の実施の形態について説明したが、本発明はこれに限定されるものではなく、種々の変更が可能である。例えば、図１の実施形態においては、収容部３を取付ベース２の背面から突出するように設けているが、収容部３が突出しないようにしてもよく、その場合にも外観等の設計の自由度高めることができる。
【図面の簡単な説明】
【００１７】
【図１】本発明の機器の固定構造の１実施形態を示し全体構成を示す斜視図である。
【図２】図１の取付ベースを説明するための図である。
【図３】図１で機器本体を取付ベースに固定した状態を示す図である。
【図４】本発明の作用を説明するための図である。
【図５】機器本体を異なる方向に開いた斜視図である。
【図６】本発明の他の実施形態を説明するための図である。
【符号の説明】
【００１８】
１…機器本体、２…取付ベース、３…収容部、４…端子台、５…開口
１０…軸受、１４、１５…回転軸、１６、１７…軸受嵌合部、Ｍ…設置面
【図１】
2005269844.tif 000003
【図２】
2005269844.tif 000004
【図３】
2005269844.tif 000005
【図４】
2005269844.tif 000006
【図５】
2005269844.tif 000007
【図６】
2005269844.tif 000008